(57)【特許請求の範囲】
【請求項１】
隣接する宅地の境界にコンクリートブロックを設置する施工方法において、該コンクリートブロックの少なくとも両端部に穴を貫通して設け、地面を平坦にならすと共に該地面にもコンクリートブロックの穴より大きな穴を掘り、上記コンクリートブロックを境界線からはみ出さないように配置し、コンクリートブロックに設けた穴を地面に掘った穴と位置合わせし、そしてコンクリートブロックの穴からコンクリートミルクを注入して地面の穴に充填し、さらにコンクリートブロックの穴から鉄筋を篏合して地面の穴に充填したコンクリートミルクに刺し込み、その後、コンクリートミルクを硬化することを特徴とする境界ブロック設置の施工方法。
【請求項２】
上記コンクリートブロックに設けた穴を、該穴に挿入する鉄筋より大きくし、挿入した鉄筋によってコンクリートミルクが押し退けられて該鉄筋と穴の隙間からはみ出すようにした請求項１記載の境界ブロック設置の施工方法。
【発明の詳細な説明】
【技術分野】
【０００１】
本発明は隣接した住宅地の境界に設置するブロックの施工方法に関するものである。
【背景技術】
【０００２】
宅地には隣との境界にブロック塀などを設置する場合が多いが、該ブロック塀を設置する為の工事は大変であり、また隣り合う住宅間に残されている空間が狭い場合には重機（パワージョベル）を入れることが出来ない場合も多い。
仮にパワーショベルが入った場合には、パワーショベルを用いて境界の土を掘削し、隣の土地にコンクリートがはみ出さないように型枠を施工し、この型枠にコンクリートミルクを流し込む。この際、型枠を施工するには境界から隣の領域に約１０ｃｍほど入り込んで地面を掘削することが必要と成り、その為に、隣の家の許可が必要となる。
【０００３】
型枠にコンクリートミルクを流し込み、必要に応じて鉄筋を配筋し、その後、流し込んだコンクリートミルクが固まるまでに所定の養生期間が必要となる。
そして、コンクリートミルクが固まったところで型枠を撤去し、その後、基礎コンクリートの上にモルタルを使用してコンクリートブロックを積み上げることでブロック塀を施工している。
【０００４】
したがって、パワーショベルを使用することが出来る場合であっても、土地の掘削作業、型枠の設置作業、コンクリートミルクの流し込み作業、型枠の撤去作業、それにコンクリートブロックの積み上げ作業など、数多くの工程を必要とし、一般的な住宅の場合、完成までの一週間〜１０日の期間を要する。そして、それに伴い施工費も必然的に高く成ってします。
【０００５】
隣接する宅地の境界に設置するブロック構造に関しては色々知られている。
例えば、特開２００２−６１２７４号に係る「土地境界の施工方法および側溝用ブロック」は、宅地造成などにおいて、強固な土地の境界を簡単に施工できるようにする技術である。すなわち、土留め壁が本体と一体になった側溝用ブロックを用いて土地境界に側溝を施工することにより、側溝を施工すると同時に土地境界となる土留め壁を施工する。土地境界を側溝を施工するのと同時に施工できるので、土地境界を非常に安価で、そして短期間に施工することができる。
【０００６】
ただし、上記特開２００２−６１２７４号に係る土地境界の施工方法は、パワーショベルが入る広い土地の場合には適しているが、本発明が対象とする狭い領域での境界施工には適していない。しかも、施工期間は本発明が目指すように１〜２日で完成するものではない。
【特許文献１】特開２００２−６１２７４号に係る「土地境界の施工方法および側溝用ブロック」
【発明の開示】
【発明が解決しようとする課題】
【０００７】
このように、隣り合う住宅との境界にコンクリートブロックを設置するには上記のごとき問題がある。本発明が解決しようとする課題はこの問題点であって、隣り合う住宅間の空間が狭くてパワーショベルを入れることが出来ない場合であっても、隣の宅地を掘削しないで簡単にコンクリートブロックの設置が出来る境界ブロックの施工方法を提供する。
【課題を解決するための手段】
【０００８】
本発明の境界ブロック構造は、所定の四角形断面をした細長いコンクリートブロックを用い、該コンクリートブロックの内部には鉄筋を埋着している。そして、コンクリートブロックの少なくとも両端部には穴が貫通して設けられており、このコンクリートブロックは所定の境界に設置される。
【０００９】
ところで、上記コンクリートブロックが設置される場所は前以て整地され、必要に応じて転圧を行う場合もある。そして、コンクリートブロックに設けている穴の位置に合わせて地面に穴を掘り、コンクリートブロックに形成している穴を位置合わせして配置する。該穴にはコンクリートミルク又はモルタルを流し込み、コンクリートミルク又はモルタルは地面を掘った穴まで充填され、同時に鉄筋を差し込む。
コンクリートミルクが固まってコンクリート支柱となり、コンクリートブロックは該コンクリート支柱に載って支持され、しかも鉄筋を介して固定される。
【発明の効果】
【００１０】
本発明では、境界ブロックを設置するに際して宅地の境界付近に穴を掘り、この穴に位置合わせしてコンクリートブロックを配置し、そして、該穴にコンクリートミルク又はモルタルを流し込んで充填し、鉄筋を差し込んで完成する。従って、一般的な住宅であれば、工事期間は１日で済み、従来の工法に比較して数分の１に短縮され、施工費も格段に安くなる。
【００１１】
そして、境界付近の地面には穴を掘るだけでよく、狭い空間であってパワーショベルが入ることが出来ない場合であっても、作業者は手作業で穴を掘ることが出来る。そして、該穴に位置合わせしてコンクリートブロックを配置し、コンクリートミルクを穴に流し込み、鉄筋を差し込むだけでよい。そして、コンクリートミルクが硬化してコンクリート支柱となることで該コンクリートブロックは支持され、しかも、挿入した鉄筋を介してコンクリートブロックは固定される。
【図面の簡単な説明】
【００１２】
【図１】コンクリートブロックを示す具体例。
【図２】隣接する宅地の境界線付近に掘った穴。
【図３】本発明に係る境界ブロック構造を示す実施例。
【図４】コンクリートブロックを境界に設置した実施例。
【発明を実施するための形態】
【００１３】
図１はコンクリートブロック１を示す具体例であり、横幅Ｍ、高さＨの長方形断面を有し、長さＬと成っている。ここで、横幅寸法Ｍ、高さ寸法Ｈ、長さＬの具体的な寸法は限定しないが、例えば、Ｍ＝１００、Ｈ＝１５０、Ｌ＝１８００とすることが出来る。そして、該コンクリートブロック１の内部には複数本の鉄筋が埋着されて、曲げに対して高い強度を保っている。
【００１４】
そして、コンクリートブロック１の両端部には穴２ａ，２ｂが上下方向に貫通して設けられている。本発明はこの細長いコンクリートブロック１，１・・・を所定の位置に配列して構成する境界ブロック構造である。
図２は境界線Ｏ−Ｏを示し、この境界線Ｏ−Ｏを境として隣接する住宅の宅地が区画されている。
【００１５】
ところで、コンクリートブロック１，１・・・はこの境界線Ｏ−Ｏから隣の宅地にはみ出さないように設置される。そこで、境界線Ｏ−Ｏの内側には穴３ａ，３ｂを設けている。この穴３ａ，３ｂの位置はコンクリートブロック１の両端部に設けている穴２ａ，２ｂと同じ間隔Ａと成っている。そして穴３ａ，３ｂの大きさはコンクリートブロック１に設けている穴２ａ，２ｂより十分大きく、しかしコンクリートブロック１の幅寸法Ｍより一般的には小さくしている。ただし、地盤が軟弱である場合にはコンクリートブロック１の幅寸法Ｍより大きくすることも可能である。
【００１６】
複数のコンクリートブロック１，１・・・が上記境界線Ｏ−Ｏからはみ出さないように配列し、そして穴２ａ，２ｂが地面に設けた穴３ａ，３ｂに一致するように配置する。ところで、上記穴２ａ，２ｂからコンクリートミルクを注入し、地面に掘った穴３ａ，３ｂにコンクリートミルクを充填し、コンクリートブロック１の穴２ａ，２ｂには鉄筋を挿入する。
【００１７】
鉄筋は穴３ａ，３ｂに充填したコンクリートミルクの深くまで届いているが、該鉄筋の太さは穴２ａ，２ｂにガタ付くことなく嵌合するサイズとしてもよく、又は鉄筋を穴２ａ，２ｂより細くして隙間にコンクリートミルクを充填することも出来る。
図３は本発明の境界ブロック構造を示している断面図であり、地面４の上にはコンクリートブロック１が設置され、地面４に掘った穴３にはコンクリートミルク５が充填されている。
【００１８】
そして、コンクリートブロック１に設けている穴２に鉄筋６を挿入するならば、該鉄筋６は穴３に充填したコンクリートミルク５を押し分けて侵入し、その結果、押し退けられたコンクリートミルク５は鉄筋６と穴２の隙間からはみ出す。従って、コンクリートブロック１の底面７には穴３に充填したコンクリートミルク５が隙間なく接した状態と成っている。
【００１９】
ここで、穴２に隙間なく嵌入する鉄筋６を使用する場合、該鉄筋６が穴３に充填されているコンクリートミルク５に侵入するならば、鉄筋に６によって押し退けられたコンクリートミルク５に逃げ場が無くなり、コンクリートブロック１を押し上げることになる。勿論、鉄筋６の挿入にて押し退けられるコンクリートミルク５を前以て認識しておき、鉄筋６が挿入することでコンクリートミルク５がコンクリートブロック１の底面７に接するようにすれば何ら問題はない。
【００２０】
そこで、コンクリートミルク５が硬化するならばコンクリート支柱と成り、コンクリートブロック１は硬化したコンクリート支柱に載って支持され、しかも鉄筋６を介してコンクリートブロック１は位置ズレすることなく固定される。本発明は、単に地面４に置いたコンクリートブロック１ではなく、固化したコンクリート支柱にて支持されることで、雨水によって地面４が浸食しても、コンクリート支柱にて支持されるコンクリートブロック１は安定する。
【００２１】
図４は本発明の施工方法で設置したコンクリートブロック１，１・・・の外観図を示している。該コンクリートブロック１，１・・・は隣の宅地境界線Ｏ−Ｏへはみ出さないように設置され、至って短期間で工事が完了し、施工費も安くなる。ここで、コンクリートブロック１の具体的な形状は限定せず、この上に、別のブロックを積み上げて低いブロック塀（４０ｃｍ以下）であれば構成することも出来る。
【００２２】
一方、ブロック塀ではなく、既存のアルミフェンスを取付けることも可能である。この場合には、上記コンクリートブロック１の上面にアルミフェンスの縦桟の下端部が嵌る為の嵌合穴を設け、該嵌合穴を利用してアルミフェンスを取付けることが出来る。
【符号の説明】
【００２３】
１   コンクリートブロック
２   穴
３   穴
４   地面
５   コンクリート
６   鉄筋
７   底面
【図１】
0006445276.tif 000002
【図２】
0006445276.tif 000003
【図３】
0006445276.tif 000004
【図４】
0006445276.tif 000005